(57)【要約】【課題】  放送コンテンツに関する情報をユーザに提供することにより、ユーザによる放送コンテンツの系統的な選択を可能にする。【解決手段】  ユーザは、移動無線ネットワーク、インターネット等のネットワークに接続され、放送を受信することができる。ユーザは、ネットワーク経由で放送コンテンツに関するプレファレンスを設定する。設定されたユーザ固有のプレファレンスは、状態リストを作成することによって、送信される放送コンテンツと組み合わされる。状態リストは、プレファレンスに設定された放送コンテンツに関する現在の状態および状態変更を捕捉する。状態リストは、プレゼンスサーバによってユーザから利用可能とされる。【選択図】  図２
2006109412.tif 000002
【特許請求の範囲】
【請求項１】
ネットワークに接続されて放送を受信することができるユーザに対し、放送コンテンツに関する情報を提供する方法において、
前記ユーザが前記ネットワークあるいは別のネットワーク経由で放送コンテンツに関するユーザ固有のプレファレンスを設定し、
前記プレファレンスと送信される放送コンテンツとを組み合わせ、前記プレファレンスに設定された放送コンテンツに関する現在の状態および状態変更を反映する状態リストを作成し、
前記状態リストをプレゼンスサーバによって前記ユーザへ利用可能に提供する、
ことを特徴とする方法。
【請求項２】
前記状態リストに反映される状態は、送信アクティビティ、送信コンテンツ、および／または物理放送チャンネルおよび／または付加情報に関連することを特徴とする請求項１に記載の方法。
【請求項３】
前記ユーザが、特定のポータル経由で自己のプレファレンスを設定することを特徴とする請求項１または２に記載の方法。
【請求項４】
前記ユーザが、ウォッチャとしてプレゼンスサーバにログオンすることを特徴とする請求項１〜３のいずれか１項に記載の方法。
【請求項５】
前記ユーザは、前記プレゼンスサーバにログオンした後、自己の設定したプレファレンスに対応する状態リストの現在の状態および／または状態変更について通知されることを特徴とする請求項４に記載の方法。
【請求項６】
ポップアップウィンドウ、ピッという音等によって前記ユーザの注意を状態変更に引きつけることを特徴とする請求項１〜５のいずれか１項に記載の方法。
【請求項７】
作成された状態リストがそれぞれ単一の放送チャンネルに関連することを特徴とする請求項１〜６のいずれか１項に記載の方法。
【請求項８】
作成された状態リストがそれぞれユーザ固有のプロファイルに関連することを特徴とする請求項１〜６のいずれか１項に記載の方法。
【請求項９】
前記ユーザ固有のプロファイルがトピックまたは時間に基づくことを特徴とする請求項８に記載の方法。
【請求項１０】
前記プロファイルが単一のユーザまたはユーザのグループに関連することを特徴とする請求項８または９に記載の方法。
【請求項１１】
前記状態リストをグラフィックに視覚化するために、前記状態リストを表すプレゼンスバディが作成されることを特徴とする請求項１〜１０のいずれか１項に記載の方法。
【請求項１２】
前記プレゼンスバディが前記ユーザのプレゼンスリストに追加されることを特徴とする請求項１１に記載の方法。
【請求項１３】
前記ユーザが、自己のプレゼンスリスト内のプレゼンスバディをクリックすることによって、自己のプレファレンスに対応する放送コンテンツの受信を開始できることを特徴とする請求項１１または１２に記載の方法。
【請求項１４】
設定されたプレファレンスに基づいて作成される状態リストを地域状態リストに分割し、前記ユーザが該ユーザの現在の所在地に従って対応する地域状態リストに関連づけられることによって、放送コンテンツの地域差が考慮に入れられることを特徴とする請求項１〜１３のいずれか１項に記載の方法。
【請求項１５】
地域差の程度が調整可能であることを特徴とする請求項１４に記載の方法。
【請求項１６】
前記ネットワークおよび前記別のネットワークの各々は、移動無線ネットワーク、放送ネットワークおよび／またはインターネットであることを特徴とする請求項１〜１５のいずれかに記載の方法。
【請求項１７】
ネットワークに接続されて放送を受信することができるユーザに対し、放送コンテンツに関する情報を提供するシステムにおいて、
前記ユーザが前記ネットワークあるいは別のネットワーク経由で放送コンテンツに関するユーザ固有のプレファレンスを設定する手段と、
前記プレファレンスと送信される放送コンテンツとを組み合わせ、前記プレファレンスに設定された放送コンテンツに関する現在の状態および状態変更を反映する状態リストを作成する手段と、
前記状態リストをプレゼンスサーバによって前記ユーザへ利用可能に提供する手段と、
を有することを特徴とするシステム。
【発明の詳細な説明】
【技術分野】
【０００１】
本発明は、放送コンテンツに関する情報をユーザに提供する方法に関する。ここで、ユーザは、ネットワーク（移動無線ネットワーク、インターネット等）に接続され、放送を受信することができる。
【背景技術】
【０００２】
最近、ユーザがネットワークに接続して放送を受信するシステムが実用化されている。一般的にユーザが接続するネットワーク（例えばラップトップコンピュータを通してインターネットへ、あるいは携帯電話を通じて携帯電話無線ネットワークへ接続する場合のネットワーク）と、放送（ＴＶ、オーディオ等）が行われる放送ネットワークとは異なるネットワークである。ただし、特定の場合には、これらの２つのネットワークは同一であり得る。ここで単なる一例としてインターネットラジオを参照すると、音楽、ニュース等のオーディオ情報は局からインターネットを通じて送信され、ユーザのＰＣまたはラップトップコンピュータによってユーザによって受信される。その際、実際のオーディオ情報とともに、送信される放送コンテンツに関する付加情報が提供される場合が多い。例えば、現在送信されている音楽タイトルを表示したり、将来の番組コンテンツに関する情報を提供したりすることが一般的である。
【０００３】
しかし、上記方法には問題がある。すなわち、ユーザの放送受信機が受信可状態でなければならない、すなわち、上記付加情報を受信するためには受信器がオンに切り替えられなければならないという問題である。さらに、付加情報は一般に、選択されたチャンネルの放送コンテンツのみに関連する。
【０００４】
ユーザは、特定の放送コンテンツに関心がある場合、放送受信機をオンにし、個々のチャンネルで対応するコンテンツを探さなければならない。関心のあるコンテンツを探索するためのこうした多大な労力は極めて時間を消費するので、広範囲のユーザにとって、放送の利用が魅力のないものになっている。また、いくつかの探索をしている間に装置を連続動作モードにすることは、エネルギー消費の増大につながる。このことは、例えば一体型ＤＶＢ−Ｈ（ディジタルビデオ放送−ハンドヘルド）を備えたハンドセットのような、一体型放送受信機を備えた携帯型装置の場合、一般にバッテリで動作するので、装置の利用可能時間に関して極めて重大である。
【０００５】
【非特許文献１】Ｍ．デイ（M. Day）、Ｊ．ローゼンバーグ（J. Rosenberg）、Ｈ．スガノ（H. Sugano）、「プレゼンスおよびインスタントメッセージングのモデル（A Model of Presence and Instant Messaging）」、ＩＥＴＦ  ＲＦＣ  ２７７８
【非特許文献２】Ｍ．デイ（M. Day）、Ｓ．アガーワル（S. Aggarwal）、Ｇ．モーア（G. Mohr）、Ｊ．ヴィンセント（J. Vincent）、「インスタントメッセージング／プレゼンスプロトコルの要件（Instant Messaging/Presence Protocol Requirements）」、ＩＥＴＦ  ＲＦＣ  ２７７９
【非特許文献３】「プレゼンスサービス（Presence Service）」、３ＧＰＰ  ＴＳ  ２３．１４１  ｖ６．６．０
【非特許文献４】ＯＭＡ、「ワイヤレスビレッジイニシアチブ：システムアーキテクチャモデル（The Wireless Village initiative: System Architecture Model）」、ｖ１．１、ＷＶ−０２０
【発明の開示】
【発明が解決しようとする課題】
【０００６】
そこで、本発明は、上記のようなユーザに放送コンテンツに関する情報を提供する方法を実現し、それによりユーザが系統的に放送コンテンツを選択することを可能にするという課題を解決しようとするものである。
【課題を解決するための手段】
【０００７】
本発明によれば、上記の課題は請求項１に記載の構成によって解決される。これによれば、ユーザがネットワークあるいは別のネットワーク経由で放送コンテンツに関するプレファレンスを設定し、設定されたユーザ固有のプレファレンスは、状態リストを作成することによって、送信される放送コンテンツと組み合わされる。状態リストを用いて、設定されたプレファレンスに従って放送コンテンツの現在の状態と状態変更が捕捉される。状態リストは、プレゼンスサーバ経由でユーザから利用可能とされる。
【０００８】
本発明の基本的な着想は、プレゼンス技術を用いることにより、ユーザの個別の関心に対応する放送関連情報をユーザに提供することである。すなわち、本発明の方法によれば、ユーザは、自分にとって関連性のある放送コンテンツに関する情報にアクセスできる。これは、ユーザが、放送サービスを系統的に利用できることを意味する。本発明によれば、ユーザによって設定されたプレファレンスに基づいて、動的状態リストが作成される。動的状態リストを用いて、ユーザにとって関連性のある放送コンテンツの状態および状態変更が捕捉される。プレゼンスサーバによってユーザから利用可能とされる状態リストから、ユーザは、関心のあるコンテンツ、すなわち、自分が設定したプレファレンスに対応するコンテンツが放送されているかどうかを知らせてくれる情報を取得する。これにより、関連性のあるコンテンツを求めて放送局を探索するための時間のかかる面倒な作業を効率的に回避できるので、放送サービスの魅力が増大する。特に、バッテリ駆動型装置の場合、本発明による方法は、エネルギー消費を低減するというさらなる利点も提供する。というのは、放送受信機は、現在放送されているユーザ固有のコンテンツを受信するために実際に必要とされる時にのみオンにされればよいからである。
【０００９】
本発明による方法との関連で用いられる「プレゼンス技術」という用語は、特定の状態の変更についてユーザに通知することを可能にする一連のさまざまなアプリケーションおよびプロトコルを意味する。プレゼンス技術の仕様に関しては、単なる例示であるが、非特許文献１〜４が挙げられる。ただし、本発明による方法は、いかなる特定のプレゼンス技術にも依存しないことに特に留意されたい。
【００１０】
本発明によるプレゼンス技術の利用は特に有利である。というのは、この技術は、例えば音声通話、インスタントメッセージング等のさまざまな通信サービスで既に用いられているからである。例えば、インスタントメッセージングはインターネット上で既に広く用いられ、モバイルワールドにおいてますます重要性を増し始めている。インスタントメッセージングの場合、メッセージの送信者は、プレゼンス技術によって、潜在的受信機の状態に関して通知される。このメッセージは、受信機が「オンライン」であってメッセージを受信可能であるか、それとも「オフライン」であってメッセージを受信不能であるかについての情報であってもよい。「不在」や「邪魔しないでください」等のような他の状態指示も可能である。本発明による方法は、この意味で既知の技術を使用するので、必要なインフラストラクチャにも、ユーザ用装置にも、容易に組み込むことができる。その結果、プレゼンス技術の利用は、使いやすいユーザインタフェースのサポートに関しても有益である。
【００１１】
放送（ブロードキャスト）技術に関して、本発明は特定の方式に限定されないことに特に留意されたい。本発明による方法は、すべてのディジタルおよびアナログの放送技術のために実施可能であるが、主として、ラジオ、ＴＶ、ＤＡＢ（ディジタルオーディオ放送）およびＤＶＢ（ディジタルビデオ放送）への応用が考えられる。
【００１２】
具体的実施形態に関して、状態リストによって捕捉された状態は、送信アクティビティ（「オンエア／オフエア」）、送信コンテンツ（「ニュース／スポーツ／映画／雑誌／...」）および／または物理放送チャンネルに関連する。必要であれば、状態リストにさらなる付加情報を取り込むことも可能である。状態リストによって捕捉される状態の作成には、放送番組の知識が必要である。この情報は、例えば、直接に放送サービスプロバイダによって、または任意のサードパーティによって、提供されることが可能である。
【００１３】
ユーザによるプレファレンスの設定は、特定のポータル経由で行われることが有利である。このようにして、ユーザは、例えば自分のラップトップコンピュータからインターネットＴＶポータルにアクセスし、そこで利用可能なＴＶ放送提供から、自分の関心に対応するコンテンツを選択することができる。プレファレンスは、その選択自体によって直ちに設定されても、ユーザにそれぞれ確認させてもよい。
【００１４】
ユーザによる状態リストへのアクセスに関して、ユーザは「ウォッチャ」としてプレゼンスサーバに登録するものとすることができる。プレゼンス技術の用語では、「ウォッチャ（watcher）」と「プレゼンティティ（presentity）」が対立する。ここで「ウォッチャ」とは、一般にプレゼンス情報を「プレゼンティティ」から受信するクライアントを指す。なお、上記の動的に作成される状態リストは、プレゼンス技術の用語によれば「プレゼンティティ」を表すことに留意されたい。
【００１５】
特に顕著な利便性に関して、ユーザは、プレゼンスサーバに登録した後、設定したプレファレンスに対応する自己の状態リストの現在の状態および／または状態変更について通知されるようにすることができる。すなわち、ユーザは常に、自分に関連性のある放送コンテンツ、例えば、自己の関心に対応する放送の開始を、アクティブに示される。これにより、放送提供の特に効率的な利用が可能である。
【００１６】
通知は、例えばポップアップウィンドウやピッという音等を用いて行うことが有利である。通知形態は、ユーザが自分の好みに従って自由に選択し設定できる。
【００１７】
具体的実施形態では、作成された状態リストはそれぞれ単一の放送チャンネルに関連してもよい。このような実施態様は、ユーザが特定の番組やトピックに関心があるのではなく、特定の放送チャンネルのコンテンツだけに関心がある場合に有益である。
【００１８】
別法として、ユーザ固有のプロファイルにそれぞれ関連する１つまたは複数の状態リストの作成を考えることができる。ユーザ固有のプロファイルは、トピック別のプロファイル（特に、ユーザは、スポーツ番組、旅行レポート、トークショー等のような特定のトピック分野を選択する）、または時間別のプロファイルとみなすことができる。ユーザが利用可能な放送チャンネルから特に関心のあるコンテンツを選び出した純粋に時間別のユーザプロファイルの場合には、１つの状態リストを生成すれば十分である。
【００１９】
プロファイルは、単一のユーザに関連していてもよい。複数のユーザが同一のコンテンツに関心を持っている場合、プロファイルはユーザのグループに関連することも有利である。このような手法により、スケーラビリティおよび効率がさらに向上する。
【００２０】
状態リストのグラフィック視覚化のために、ディスプレイ装置（例えばＬＣＤ）上でユーザに対して表示可能ないわゆる「プレゼンスバディ」を作成することが有利である。扱いやすく非常に明確であることから、プレゼンスバディをユーザのプレゼンスリストに（手動あるいは自動で）追加できる。また、プレゼンスリストは、ディスプレイ上（例えば、アクティブにできるウィンドウ上）でユーザに示すこともできる。
【００２１】
また、さらに有利には、ユーザは、自分のプレゼンスリストの対応するプレゼンスバディをクリックすることによって、放送チャンネル受信を開始できるようにすることが可能である。このような「オンクリック」チューニングは、実際に用いられている無線技術に応じて、状態リストから正しい送信周波数を自動的に選択することによって実現できる。
【００２２】
高いフレキシビリティに関して、放送コンテンツの地域差を考慮に入れるようにすることができる。このために、状態リストを（対応するプレゼンスバディとともに）地域状態リスト（およびプレゼンスバディ）に分割できる。それぞれのユーザの所在地に関して入手可能な情報があり、自己のサービスプロバイダへの登録プロファイルでこの情報の公開が許可されている場合、ユーザは、自己の現在地に一致する地域状態リスト（およびプレゼンスバディ）に関連づけられることが可能である。地域分割の程度は、地域放送提供に応じて、ユーザの個別の希望に応じて、および／またはユーザの所在地に関する適当な情報の入手可能性に応じて、調整できる。
【００２３】
本発明の教示を有利に実施し改良するためのいくつかの方法がある。この目的のためには、一方で請求項１に従属する請求項を参照し、他方で図面に例示される本発明の好ましい実施例に関する以下の説明を参照されたい。図面による本発明の好ましい実施例の説明においては、教示の一般的に好ましい実施形態および改良形態が説明される。
【発明を実施するための最良の形態】
【００２４】
図１は、本発明による方法の一実施例のモデルの概略図である。このモデルによれば、ユーザ（ユーザＡ、ＢおよびＣ）には、それぞれのプレファレンスに対応する放送コンテンツに関する情報が提供される。図示のモデルは、ユーザが特定の番組やコンテンツに関心を持っていない場合を反映している。代わりに、ユーザの関心は、例えば対応するポータル経由でユーザが選択した１つまたは複数の放送チャンネルのみに集中している。ユーザ側からは、例えばＤＶＢ−Ｈ（ディジタルビデオ放送−ハンドヘルド）受信機一体型のハンドヘルド装置（ＰＤＡ、携帯電話等）を、実際の放送受信だけでなく、放送チャンネルの選択に利用できる。
【００２５】
各放送チャンネルごとに、対応するプレゼンスバディによってそれぞれ表される状態リストが作成される。これは図１では２つのチャンネル、すなわちチャンネル１およびチャンネル３について例示的に示されている。状態リストにおいて、特定の放送チャンネルに対応する状態および状態変更が捕捉される。この情報は、プレゼンスサーバへ送信され、そこで定期的に更新される。プレゼンスサーバおよびそれに関連するサービスは、例えば、放送サービスプロバイダ自身によって提供されても、あるいはそれ以外のサービスプロバイダによって提供されてもよい。
【００２６】
ユーザが自分のプレファレンスを設定した後、対応するプレゼンスバディがユーザのプレゼンスリストに自動的に追加される。本実施例では、ユーザＡおよびユーザＢのプレゼンスリストはチャンネル１に関連するプレゼンスバディを含む一方、ユーザＣのプレゼンスリストにはチャンネル３に関連するプレゼンスバディがある。
【００２７】
例えばユーザＡが自己のプレゼンスリストに基づいて友人ジョンおよびマリアの受信状態（「オンライン／オフライン」）について通知されるというプレゼンス技術の既知の手法にならって、ユーザＡには、チャンネル１に関連するプレゼンスバディのプレゼンス状態に関する情報が提供され、ユーザＡのプレゼンスリストに取り込まれる。このプレゼンス状態は、チャンネル１で送信される放送コンテンツに従って変更される。ユーザＢおよびＣについても同様である。ただし、ユーザＣについての情報は、ユーザＣによって設定されたプレファレンスに従って、チャンネル１ではなくチャンネル３に関連する。
【００２８】
図２もまた、本発明による方法の一実施例のモデルの概略図である。この実施態様は、前述の実施例よりも複雑であり、ユーザが特定のトピック分野をプレファレンスとして設定することができる。そこで、ユーザＡはトピック１および２を選択し、ユーザＢはトピック１のみを選択し、ユーザＣはトピック１、２および３を選択している。ユーザ／トピックのそれぞれの組合せに対して、状態リストすなわちプレゼンティティが作成され、それにより、図１に関して既に説明したように、それぞれのユーザプレファレンスに関連する状態および状態変更が捕捉される。このプレゼンス情報は、常に更新され、プレゼンスサーバに配信される。状態リストに関連するプレゼンスバディ（すなわちウォッチャ）が、個々のユーザのプレゼンスリストにそれぞれ追加される。
【００２９】
複数のユーザプレファレンスが互いに一致する場合、状態リストをまとめることができる。したがって、複数のユーザのプレゼンスバディが同一のプレゼンティティの「ウォッチャ」となり得る。これにより、よりフレキシブルでスケーラブルなシステムとなる。
【００３０】
トピックを選択する際の粒度は、自由に選ぶことができる。例えば、ユーザ側から、トピック「旅行レポート」は、より具体的なレベルで「ヨーロッパ旅行レポート」として、そしてさらに具体的なレベルで「イタリアの都市についての旅行レポート」として、というように選ぶことができる（例えば図４参照）。図２に示したシナリオでは、ユーザのプレファレンスおよび利用可能な放送チャンネル（ここではチャンネル１〜５）のコンテンツに関する情報は、プレゼンス状態リストおよび対応するプレゼンスバディを作成するために、アグリゲータによって組み合わされる（例えば図５参照）。
【００３１】
図３は、図２に示した実施例による一実施態様の個々の論理モジュールおよびデータフローの概略図である。放送局から放送ネットワークを通じて放送されるデータ（オーディオ、ビデオ等のデータ）を受信できるユーザＡは、まず、ポータル経由で自己の放送関連のプレファレンス（ここではトピック１）を設定する。ポータルでは、さまざまな局／チャネルによって放送されている放送コンテンツに関する情報にアクセスできる。一方でユーザプレファレンスに基づき、他方で番組情報に基づいて、動的プレゼンス状態リストが作成される。これは、プレゼンス技術の用語では「プレゼンティティ」とも呼ばれる。上記の具体例では、「ユーザＡ、トピック１」というプレゼンティティが作成される。このプレゼンス状態リストによって捕捉される状態および状態変更が、プレゼンスサーバへ送信される。
【００３２】
ユーザＡによって設定されたプレファレンスに対して、すなわち、今の場合にはトピック１に対して、対応するプレゼンス状態リスト（プレゼンティティ「ユーザＡ、トピック１」）を表すプレゼンスバディが作成される。このプレゼンスバディは、プレゼンスサーバに登録され、ユーザＡのプレゼンスリストに（自動あるいは手動で）追加される。これは、このプレゼンスバディがプレゼンスサーバに「ウォッチャ」として登録されることを意味する。ユーザＡには、ログイン後、メッセージが送信され、そのメッセージによって、プレゼンティティ「ユーザＡ、トピック１」によって捕捉された状態および状態変更について通知される。この情報は、例えば、ユーザＡのラップトップコンピュータまたは携帯電話のディスプレイ上のプレゼンスリストにおいて、ユーザＡに示すことができる。ユーザのログオンは自動的に実行されてもよい。
【００３３】
図４は、ユーザＡの例による、選択プロセスおよびユーザ固有のプレファレンスの設定を示している。図４の左側には、ユーザＡのプレゼンスリストが初期状態として示されている。プレゼンスリストは、「友人」列に２つのプレゼンスバディを含む。第１のプレゼンスバディはジョンに関連し、第２のプレゼンスバディはマリアに関連する。この選択により、ユーザＡは、ジョンおよびマリアのプレゼンス状態（例えば、「オンライン」、「オフライン」、「不在」、「会議中」等）について通知されることが可能となる。これは、例えばインスタントメッセージングの場合に知られているような、プレゼンス技術の従来の用法である。
【００３４】
最初のステップで、ユーザＡは、コンテンツポータル経由で、放送サービスプロバイダによって提供されている利用可能なトピックから、自分の関心に対応するトピックを選択する。上記の例の場合、それは「スポーツ」および「旅行」というトピックである。次のステップで、ユーザＡは、「スポーツ」の分野で「バレーボール」および「水泳」のトピックを選択し、「旅行」の分野で「ドイツ」および「イタリア」のトピックを選択するように、自分の関心を指定する。前述のように、トピックを選択する際の粒度は、自由に設定可能である。
【００３５】
選択を実行した後、そして必要であれば、実行した選択に対するユーザによる確認の後、対応するプレゼンスバディが作成され、ユーザＡのプレゼンスリストに追加される。これにより、列「友人」にもう１つ列が追加される。これは列「娯楽」であり、そこに、プレファレンス「スポーツ」を表すプレゼンスバディと、プレファレンス「旅行」を表すプレゼンスバディが追加される。
【００３６】
図５は、図４に示したユーザ固有のプレファレンスに従って作成された状態リストの概略図である。状態リストの作成は、ユーザＡによって設定されたプレファレンスと、アグリゲータポータルによって提供される個々のチャンネル／局の番組情報とに基づいて実行される。例示した実施例に対応して、全部で２つの状態リストが示されている。すなわち、１つは状態リスト「ユーザＡ−スポーツ」であり、もう１つは状態リスト「ユーザＡ−旅行」である。
【００３７】
時刻Ｔ1に、両方の状態リストが状態「オフエア」を示している。ユーザＡのプレゼンスリストにおいて、この情報がユーザＡに対して示されると、ユーザＡは、自分が関心のある放送コンテンツが現在放送されていないことを知る。時刻Ｔ2に、サッカーレポートがチャンネル１で開始される。状態リスト「ユーザＡ−スポーツ」の状態は「オフエア」から「オンエア」に変更される。ユーザＡには、例えばポップアップウィンドウやピッという音によってこの状態変更が通知され、ユーザＡのプレゼンスリストには、そのようなレポートに対応する表示がなされ得る。すると、ユーザＡは、対応するプレゼンスバディ「ユーザＡ−スポーツ」を単にクリックするだけで放送受信機を起動することができ、正しいチャンネル（ここではチャンネル１）が自動的に選択される。
【００３８】
時刻Ｔ3に、ユーザＡによって設定されたプレファレンスに対応するレポートがまもなく開始される（チャンネル５の「ローマ訪問」）ので、第２の状態リスト（「ユーザＡ−旅行」）においても、状態が「オフエア」から「オンエア」に変更される。対応する表示がユーザＡのプレゼンスリストにも示される。ユーザＡに対して通知がなされる次の状態変更は時刻Ｔ4に起こる。この時刻に、チャンネル１でサッカーレポートが終了し、状態リスト「ユーザＡ−スポーツ」の状態が「オンエア」から「オフエア」に変更される。同じことが、時刻Ｔ5に、状態リスト「ユーザＡ−旅行」で起こる。
【００３９】
最後に、特に指摘しておくが、上記の任意に選択された実施例は、本発明による教示の実例としての役割を果たすに過ぎず、本発明を上記実施例に限定するものでは全くない。
【図面の簡単な説明】
【００４０】
【図１】放送コンテンツに関する情報をユーザに提供する本発明による方法の第１実施例のモデルの概略図である。
【図２】ユーザが特定のトピックを選択することを可能にする本発明による方法の第２実施例のモデルの概略図である。
【図３】図２の実施例の一実施態様の概略図である。
【図４】ユーザ固有のプレファレンスを設定するプロセスの概略図である。
【図５】図４のユーザ固有のプレファレンスに従って作成された状態リストの概略図である。
【図１】
2006109412.tif 000003
【図２】
2006109412.tif 000004
【図３】
2006109412.tif 000005
【図４】
2006109412.tif 000006
【図５】
2006109412.tif 000007